(57)【要約】【課題】外装筒および規制筒の周方向の相対的な回転移動量に対する、保持筒の軸方向の移動量を容易に調整する。【解決手段】棒状内容物Ｗを保持する保持筒１１と、保持筒に外装され、径方向に貫く縦孔１７が形成された規制筒１２と、規制筒に、保持筒の中心軸線Ｏ回りに沿う周方向に相対回転可能に外装され、内周面に雌ねじ部１３ｂが形成された外装筒１３と、外装筒と規制筒との間に配設されたねじ筒１４と、縦孔を通して、ねじ筒と保持筒とを連結する連結部材１１ａと、を備え、ねじ筒の外周面に、外装筒の雌ねじ部に螺合する雄ねじ部１４ａが形成されている。【選択図】図１
2020018463.tif 000002
【特許請求の範囲】
【請求項１】
棒状内容物を保持する保持筒と、
前記保持筒に外装され、径方向に貫く縦孔が形成された規制筒と、
前記規制筒に、前記保持筒の中心軸線回りに沿う周方向に相対回転可能に外装され、内周面に雌ねじ部が形成された外装筒と、
前記外装筒と前記規制筒との間に配設されたねじ筒と、
前記縦孔を通して、前記ねじ筒と前記保持筒とを連結する連結部材と、を備え、
前記ねじ筒の外周面に、前記外装筒の雌ねじ部に螺合する雄ねじ部が形成されている、繰出容器。
【請求項２】
前記雌ねじ部および前記雄ねじ部は、複数周にわたって螺合している、請求項１に記載の繰出容器。
【請求項３】
前記雌ねじ部および前記雄ねじ部は一条ねじである、請求項１または２に記載の繰出容器。
【発明の詳細な説明】
【技術分野】
【０００１】
本発明は、繰出容器に関する。
【背景技術】
【０００２】
従来から、例えば下記特許文献１に示されるような、棒状内容物を保持する保持筒と、保持筒に外装され、径方向に貫く縦孔が形成された規制筒と、規制筒に、保持筒の中心軸線回りに沿う周方向に相対回転可能に外装され、内周面に螺旋溝が形成された外装筒と、を備え、保持筒に、縦孔を通して螺旋溝に挿入された円柱状の被案内突起が形成された繰出容器が知られている。
この繰出容器では、外装筒および規制筒を周方向に相対回転することにより、被案内突起が、縦孔の内周面により規制筒に対する周方向の移動が規制された状態で、螺旋溝内を相対移動することで、保持筒が、外装筒および規制筒に対して前記中心軸線に沿う軸方向に移動する。
【先行技術文献】
【特許文献】
【０００３】
【特許文献１】特開２０１３−２０８１５４公報
【発明の概要】
【発明が解決しようとする課題】
【０００４】
しかしながら、前記従来の繰出容器では、外装筒および規制筒を周方向に相対回転したときに、円柱状の被案内突起が、螺旋溝内を相対移動することで、保持筒が軸方向に移動するので、外装筒および規制筒の周方向の相対的な回転移動量に対する、保持筒の軸方向の移動量を調整するのに設計上の制約を受けやすいという問題があった。
【０００５】
本発明は、このような事情に鑑みてなされたものであって、その目的は、外装筒および規制筒の周方向の相対的な回転移動量に対する、保持筒の軸方向の移動量を容易に調整することができる繰出容器を提供することである。
【課題を解決するための手段】
【０００６】
前記課題を解決するために、本発明は以下の手段を提案している。
本発明に係る繰出容器は、棒状内容物を保持する保持筒と、前記保持筒に外装され、径方向に貫く縦孔が形成された規制筒と、前記規制筒に、前記保持筒の中心軸線回りに沿う周方向に相対回転可能に外装され、内周面に雌ねじ部が形成された外装筒と、前記外装筒と前記規制筒との間に配設されたねじ筒と、前記縦孔を通して、前記ねじ筒と前記保持筒とを連結する連結部材と、を備え、前記ねじ筒の外周面に、前記外装筒の雌ねじ部に螺合する雄ねじ部が形成されている。
【０００７】
この発明によれば、連結部材が、ねじ筒と保持筒とを、縦孔を通して連結しているので、保持筒、規制筒、およびねじ筒の周方向の相対回転が規制される。これにより、外装筒および規制筒を周方向に相対回転すると、保持筒およびねじ筒も、外装筒に対して周方向に相対回転することとなり、ねじ筒の雄ねじ部および外装筒の雌ねじ部の螺合により、ねじ筒が保持筒とともに、外装筒および規制筒に対して軸方向に移動する。
以上より、外装筒および規制筒を周方向に相対回転したときに、保持筒を軸方向に移動させる機構が、ねじ筒の雄ねじ部および外装筒の雌ねじ部の螺合となっていることから、従来のような、円柱状の被案内突起が螺旋溝内を相対移動する構成と比べて、外装筒および規制筒の周方向の相対的な回転移動量に対する、保持筒の軸方向の移動量を、設計上の制約少なく容易に調整することができる。
【０００８】
ここで、前記雌ねじ部および前記雄ねじ部は、複数周にわたって螺合してもよい。
【０００９】
この場合、雌ねじ部および雄ねじ部が、複数周にわたって螺合しているので、ねじ筒および保持筒と、外装筒と、の相対位置が不安定になるのを抑制することが可能になり、保持筒内の棒状内容物が折れやすくなるのを抑制することができる。
【００１０】
また、前記雌ねじ部および前記雄ねじ部は一条ねじであってもよい。
【００１１】
この場合、雌ねじ部および雄ねじ部が一条ねじとなっているので、外装筒および規制筒の周方向の相対的な回転移動量に対する、保持筒の軸方向の移動量を小さく抑えることが可能になり、保持筒内の棒状内容物が折れやすくなるのを確実に抑制することができる。
【発明の効果】
【００１２】
本発明によれば、棒状内容物が折れやすくなるのを抑えることができる。
【図面の簡単な説明】
【００１３】
【図１】本発明の一実施形態に係る繰出容器の縦断面図である。
【図２】図１に示す繰出容器において、ねじ筒および保持筒が、外装筒および規制筒に対して上昇した状態を示す縦断面図である。
【図３】図１に示すねじ筒の縦断面図であって、嵌合孔を正面から見た図である。
【発明を実施するための形態】
【００１４】
以下、図１を参照し、本発明の一実施形態に係る繰出容器を説明する。
繰出容器１は、保持筒１１、規制筒１２、外装筒１３、およびねじ筒１４を備える。保持筒１１、規制筒１２、外装筒１３、およびねじ筒１４は、共通軸と同軸に配設されている。
以下、この共通軸を中心軸線Ｏといい、中心軸線Ｏに沿う軸方向から見て、中心軸線Ｏに交差する方向を径方向といい、中心軸線Ｏ回りに周回する方向を周方向という。
【００１５】
保持筒１１は、棒状内容物Ｗを、軸方向のうちの一方側に突出させ、かつ他方側に突出させない状態で保持している。
以下、軸方向のうち、前記一方側を上側といい、その反対側を下側という。棒状内容物Ｗとしては、例えば化粧料（口紅、リップクリーム、若しくはスティックアイシャドーなど）、薬剤、または糊などが挙げられ、油分を多く含む柔らかい材質であってもよい。
【００１６】
保持筒１１の下端部に、径方向の外側に向けて突出する嵌合突起（連結部材）１１ａが形成されている。嵌合突起１１ａは、保持筒１１に２つ形成され、中心軸線Ｏを径方向に挟む両側に各別に配設されている。嵌合突起１１ａは、円柱状に形成されている。嵌合突起１１ａの直径は、嵌合突起１１ａの高さより大きい。なお、嵌合突起１１ａの直径は、嵌合突起１１ａの高さ以下としてもよい。
【００１７】
規制筒１２は、保持筒１１に外装され、径方向に貫く縦孔１７が形成されている。保持筒１１は、規制筒１２内に軸方向に移動可能に嵌合されている。規制筒１２の上端開口縁は、保持筒１１の上端開口縁より上方に位置している。規制筒１２の上端開口縁は、棒状内容物Ｗの上端縁より上方に位置している。規制筒１２の下端開口縁は、保持筒１１の下端開口縁より下方に位置している。
【００１８】
縦孔１７は、規制筒１２の下端開口縁から上方に向けて延びている。縦孔１７の上端縁は、規制筒１２における軸方向の中央部より下方に位置している。縦孔１７の上端縁は、保持筒１１の上端開口縁より下方で、かつ保持筒１１の軸方向の中央部より上方に位置している。縦孔１７の内周面のうち、周方向を向く側面１７ａは、嵌合突起１１ａの外周面に当接、若しくは近接している。
【００１９】
外装筒１３は、規制筒１２に周方向に相対回転可能に外装されている。外装筒１３の内周面と、規制筒１２の外周面と、の間に径方向の隙間が設けられている。外装筒１３の上端開口縁は、縦孔１７の上端縁より上方で、かつ保持筒１１の上端開口縁より下方に位置している。外装筒１３は、環状の底壁を有する有底筒状に形成されている。底壁における内周縁部に上方に向けて突出する環状突部１３ａが形成されている。環状突部１３ａが、規制筒１２の下端部内に挿入されている。外装筒１３の内周面に、雌ねじ部１３ｂが形成されている。雌ねじ部１３ｂは、外装筒１３の内周面のうち、上部を除く全域にわたって形成されている。雌ねじ部１３ｂは、外装筒１３の内周面に、軸方向の位置を異ならせて複数周にわたって延びている。
【００２０】
図示の例では、繰出容器１は、外装筒１３に対する規制筒１２の上昇移動を規制する規制リング１５を備える。規制リング１５は、第１規制リング１５ａおよび第２規制リング１５ｂを備える。
第１規制リング１５ａは、外装筒１３の上端部内に嵌合された下部と、外装筒１３の上端開口から上方に突出した上部と、を備える。第１規制リング１５ａの上部に、規制筒１２および棒状内容物Ｗを覆うオーバーキャップ１６が着脱可能に外嵌されている。
第２規制リング１５ｂは、第１規制リング１５ａの下部内に嵌合されている。第２規制リング１５ｂの下端開口縁が、規制筒１２の外周面に形成された係止突部１２ｂに、係止突部１２ｂの上方から係合することで、外装筒１３に対する規制筒１２の上昇移動を規制する。
なお、第１規制リング１５ａおよび第２規制リング１５ｂは、一体に形成されてもよい。
【００２１】
ねじ筒１４は、外装筒１３の内周面と、規制筒１２の外周面と、の間に配設されている。ねじ筒１４の上端開口縁は、縦孔１７における軸方向の中央部より下方に位置している。ねじ筒１４の下端開口縁は、外装筒１３の下端部に位置している。ねじ筒１４の軸方向の長さは、雌ねじ部１３ｂの軸方向の長さの約半分となっている。
【００２２】
ねじ筒１４の外周面に、外装筒１３の雌ねじ部１３ｂに螺合する雄ねじ部１４ａが形成されている。雄ねじ部１４ａは、ねじ筒１４の外周面に、軸方向の位置を異ならせて複数周にわたって延びている。雄ねじ部１４ａは、ねじ筒１４の外周面における軸方向の全域にわたって形成されている。雄ねじ部１４ａおよび雌ねじ部１３ｂは、複数周にわたって螺合している。雄ねじ部１４ａの全体が、雌ねじ部１３ｂに螺合している。雄ねじ部１４ａおよび雌ねじ部１３ｂは、一条ねじとなっている。
【００２３】
ねじ筒１４の下部に、径方向に貫く嵌合孔１４ｂが形成されている。嵌合孔１４ｂは、ねじ筒１４に２つ形成され、中心軸線Ｏを径方向に挟む両側に各別に配設されている。嵌合孔１４ｂは、図３に示されるように円形状に形成されている。嵌合孔１４ｂに、保持筒１１の嵌合突起１１ａが、規制筒１２の縦孔１７を通して嵌合されている。これにより、ねじ筒１４および保持筒１１が、規制筒１２に対して、周方向の移動が規制された状態で、軸方向に移動可能になっている。
【００２４】
ねじ筒１４の内周面における上端部に、環状溝１４ｃが形成されている。環状溝１４ｃは、ねじ筒１４の上端開口縁に開口している。ねじ筒１４の縦断面視において、環状溝１４ｃのうち、上部は軸方向に延び、下部は、下方に向かうに従い漸次、径方向の内側に向けて延びるとともに、径方向の外側に向けて窪む曲面状に形成されている。
【００２５】
ねじ筒１４の内周面において、環状溝１４ｃと嵌合孔１４ｂとの間に位置する部分に、軸方向に延びる導入溝１４ｄが形成されている。導入溝１４ｄは、ねじ筒１４の内周面において、嵌合孔１４ｂと周方向の位置が同等の部分に各別に配設されている。導入溝１４ｄの上端部、および環状溝１４ｃは、互いに連通している。導入溝１４ｄの上端部における深さと、環状溝１４ｃの上部における深さと、が互いに同等になっている。導入溝１４ｄの下端部における深さは、下方に向かうに従い漸次、浅くなっている。導入溝１４ｄの下端部は、嵌合孔１４ｂより上方に位置している。
【００２６】
以上の構成において、保持筒１１の下端部を、ねじ筒１４内にねじ筒１４の上方から押込むことで、保持筒１１の嵌合突起１１ａが、ねじ筒１４の上方から、環状溝１４ｃおよび導入溝１４ｄをこの順に通過し、嵌合孔１４ｂに到達したときに、嵌合孔１４ｂ内に嵌合される。
【００２７】
以上説明したように、本実施形態による繰出容器１によれば、保持筒１１に、ねじ筒１４に形成された嵌合孔１４ｂに、規制筒１２の縦孔１７を通して嵌合された嵌合突起１１ａが形成されているので、保持筒１１、規制筒１２、およびねじ筒１４の周方向の相対回転が規制される。
これにより、外装筒１３および規制筒１２を周方向に相対回転すると、保持筒１１およびねじ筒１４も、外装筒１３に対して周方向に相対回転することとなり、ねじ筒１４の雄ねじ部１４ａおよび外装筒１３の雌ねじ部１３ｂの螺合により、ねじ筒１４が保持筒１１とともに、図１および図２に示されるように、外装筒１３および規制筒１２に対して軸方向に移動する。
【００２８】
以上より、外装筒１３および規制筒１２を周方向に相対回転したときに、保持筒１１を軸方向に移動させる機構が、ねじ筒１４の雄ねじ部１４ａおよび外装筒１３の雌ねじ部１３ｂの螺合となっていることから、従来のような、円柱状の被案内突起が螺旋溝内を相対移動する構成と比べて、外装筒１３および規制筒１２の周方向の相対的な回転移動量に対する、保持筒１１の軸方向の移動量を、設計上の制約少なく容易に調整することができる。
【００２９】
また、雌ねじ部１３ｂおよび雄ねじ部１４ａが、複数周にわたって螺合しているので、ねじ筒１４および保持筒１１と、外装筒１３と、の相対位置が不安定になるのを抑制することが可能になり、保持筒１１内の棒状内容物Ｗが折れやすくなるのを抑制することができる。
また、雌ねじ部１３ｂおよび雄ねじ部１４ａが一条ねじとなっているので、外装筒１３および規制筒１２の周方向の相対的な回転移動量に対する、保持筒１１の軸方向の移動量を小さく抑えることが可能になり、保持筒１１内の棒状内容物Ｗが折れやすくなるのを確実に抑制することができる。
【００３０】
なお、本発明の技術的範囲は前記実施形態に限定されるものではなく、本発明の趣旨を逸脱しない範囲において種々の変更を加えることが可能である。
【００３１】
例えば前記実施形態では、保持筒１１に嵌合突起１１ａが形成され、ねじ筒１４に嵌合孔１４ｂが形成された構成を示したが、保持筒１１に嵌合孔１４ｂが形成され、ねじ筒１４に嵌合突起１１ａが形成された構成を採用してもよい。すなわち、ねじ筒１４および保持筒１１のうちのいずれか一方に、他方に形成された嵌合孔１４ｂに、縦孔１７を通して嵌合された嵌合突起１１ａが形成された構成を採用してもよい。
また、嵌合突起１１ａとして、保持筒１１およびねじ筒１４とは別体のピン部材を採用し、このピン部材を、保持筒１１およびねじ筒１４に形成した嵌合孔に嵌合してもよい。
また、雌ねじ部１３ｂおよび雄ねじ部１４ａは、１周以下螺合してもよいし、多条ねじであってもよい。
【００３２】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００３３】
１  繰出容器
１１  保持筒
１１ａ  嵌合突起（連結部材）
１２  規制筒
１３  外装筒
１３ｂ  雌ねじ部
１４  ねじ筒
１４ａ  雄ねじ部
１４ｂ  嵌合孔
１７  縦孔
Ｏ  中心軸線
Ｗ  棒状内容物
【図１】
2020018463.tif 000003
【図２】
2020018463.tif 000004
【図３】
2020018463.tif 000005